(57)【要約】【課題】利用者の安全性を確保するとともに、運用性を損なう事のない機械式駐車装置を提供すること。【解決手段】機械式駐車装置１０の運転を操作する運転操作盤２１と、運転操作盤２１に備えて利用者の情報記憶装置の情報を読み込み及び書き込みする情報読み書き装置２３と、機械式駐車装置１０の入出庫階１５に備えて情報記憶装置に扉閉許可情報を書き込む情報書き込み装置２４と、を備え、運転操作盤２１の情報読み書き装置２３が情報記憶装置から扉閉許可情報を読み込んだときに入出庫階１５の扉２２を閉じることが出来るようにした。【選択図】図１
2019100089.tif 000002
【特許請求の範囲】
【請求項１】
機械式駐車装置の運転を操作する運転操作盤と、該運転操作盤に備えて利用者の情報記憶装置の情報を読み込み及び書き込みする情報読み書き装置と、前記機械式駐車装置の入出庫階に備えて前記情報記憶装置に扉閉許可情報を書き込む情報書き込み装置と、を備え、前記運転操作盤の前記情報読み書き装置が前記情報記憶装置から前記扉閉許可情報を読み込んだときに前記入出庫階の扉を閉じることが出来るようにしたことを特徴とする機械式駐車装置。
【請求項２】
前記入出庫階に複数の前記情報書き込み装置を備えたことを特徴とする請求項１に記載の機械式駐車装置。
【発明の詳細な説明】
【技術分野】
【０００１】
本発明は、駐車装置内部に人が閉じこめられるのを未然に防止する機械式駐車装置に関する。
【背景技術】
【０００２】
機械式駐車装置は、スペースの少ない土地に多数の車両を効率よく駐車できる駐車設備として住宅密集地等において広く利用されており、利用する土地の広狭や経済性などを考慮した種々の構造のものが提供されている。一般的に機械式駐車装置には、一箇所または複数箇所に入出庫スペースが設けられており、駐車する車両は自走により入出庫スペースへの出入りを行う。入出庫スペースと駐車スペースとの間には、車両を搬送する搬送装置を備えており、入出庫スペースにおいて搬送装置上に車両を搭載し、所定の駐車スペースへと車両を搬送して格納する。入出庫スペースの入出庫口には、外部との空間を遮断する扉が設けられており、機械式駐車装置が動作するときには扉を閉鎖して人が装置内へ進入しないようになっている。機械式駐車装置外部の扉近傍には機械式駐車装置の運転を操作する運転操作盤が設けられており、これを駐車装置の管理人あるいは車両の運転者自身が操作することにより、扉の開閉や搬送装置の動作が行われる。
【０００３】
近年、機械式駐車装置は、商業施設での利用に加えてオフィスビルやマンション等の集合住宅に併設されて利用されることも多く、この場合には、駐車装置の管理人が常駐することなく、特定の利用者自身が機械式駐車装置の運転操作を行うことが多い。しかしながら、このように専門の管理人の操作によらず、利用者自身の操作により機械式駐車装置を動作させる場合には、利用者の注意不足や確認不足により、機械式駐車装置内に他の人が取り残された状態で扉が閉じられてしまう可能性がある。例えば、出庫時には利用者が車両を運転して入出庫スペースから退出し、この後、機械式駐車装置の運転操作を行うため、他の人が機械式駐車装置内に取り残されることはほとんどない。これに対して入庫時には、同乗者を乗せたまま入出庫スペースに進入し、この後同乗者の退出を確認しないまま運転操作を行うと、同乗者が機械式駐車装置内に閉じこめられてしまうといった可能性がある。
【０００４】
また、入出庫を行っている利用者が入出庫スペースに居るときに、他の利用者が前の利用者が入出庫スペースに居ることに気付かずに操作盤を操作すると、前の利用者を入出庫部内に閉じ込めることになってしまう。このような事態を防止するために、扉を開く前に利用者の認証を行う第１の認証処理を行い、扉を閉じる前に利用者の認証を再度行う第２の認証処理を行って、第１の認証処理の認証情報と第２の認証処理の認証情報とを照合した後、照合結果が一致した場合にのみ扉を閉じる閉扉操作を入力することで閉扉処理が行えるものがある（例えば、特許文献１参照）。
【先行技術文献】
【特許文献】
【０００５】
【特許文献１】特開２０１２−２６１２１号公報
【発明の概要】
【発明が解決しようとする課題】
【０００６】
しかしながら、上記のように２回の認証を行う方式においては、先行する利用者が第２の認証処理を行わず、扉を閉じずに立ち去った場合には、後行の利用者は認証処理を行うことができず機械式駐車装置を運行することができない。このため、このような事態が生じた場合には、扉を閉じる権限を有するサービスエンジニアや、管理会社の担当者が出向いて機械式駐車装置を復旧する必要があり、時間の浪費等により機械式駐車装置の運用性を損なってしまう。
【０００７】
本発明は、このような事情に鑑みてなされたものであって、利用者の安全性を確保するとともに運用性を損なう事のない機械式駐車装置を提供することを目的とする。
【課題を解決するための手段】
【０００８】
上記課題を解決するために請求項１の発明は、機械式駐車装置の運転を操作する運転操作盤と、該運転操作盤に備えて利用者の情報記憶装置の情報を読み込み及び書き込みする情報読み書き装置と、前記機械式駐車装置の入出庫階に備えて前記情報記憶装置に扉閉許可情報を書き込む情報書き込み装置と、を備え、前記運転操作盤の前記情報読み書き装置が前記情報記憶装置から前記扉閉許可情報を読み込んだときに前記入出庫階の扉を閉じることが出来るようにしたことを特徴としている。
【０００９】
請求項２の発明は、前記入出庫階に複数の前記情報書き込み装置を備えたことを特徴としている。
【発明の効果】
【００１０】
本発明によれば、利用者は入出庫後に入出庫内の情報書き込み装置を操作せねばならず、利用者による無人確認行動を促進することができる。また、先行の利用者が扉を閉め忘れて立ち去ったとしても、後行の利用者は入出庫階内の情報書き込み装置を操作することにより機械式駐車装置の運転が可能になるので、機械式駐車装置の運用性を損なうことがない。
【図面の簡単な説明】
【００１１】
【図１】機械式駐車装置の概略を示す側面図
【図２】機械式駐車装置の概略を示す正面図
【図３】入出庫階の平面図
【発明を実施するための最良の形態】
【００１２】
以下、本発明の具体的な実施の形態を図面を参照して説明する。図１及び図２は、機械式駐車装置の概略を示す側面図及び正面図であり、本説明においては、具体例としてエレベータ式機械式駐車装置を示して説明を行う。機械式駐車装置１０の内部には、中央を上下に貫通する昇降路１１が形成されており、この昇降路１１を昇降可能に昇降リフト１２を設けている。昇降リフト１２は、車両１９を搭載する搬器１３の四隅にワイヤロープ１４を連結し、このワイヤロープ１４を機械式駐車装置１０の上部に設けた巻き上げ装置（図示せず）により、巻き上げ又は繰り出しすることにより搬器１３を昇降駆動するようにしたものである。
【００１３】
昇降路１１の両側方には、複数の駐車室１７が上下多段に形成されており、各駐車室１７には、それぞれ車両１９を搭載するためのパレット１８を備えている。この機械式駐車装置１０においては、地上１階部分を車両１９の入出庫階１５としており、車両１９の入退出方向１６は、搬器１３の長手方向に対して直交する方向に設定されている。車両１９が格納されていない何れかの駐車室１７にある空のパレット１８は、搬器１３上へスライド（横行）させられた後、搬器１３とともに入出庫階１５に降下して停止する。入出庫階１５の下方には、パレット１８を旋回して向きを変えるパレット旋回装置２０を備えており、入出庫階１５に到着したパレット１８は、このパレット旋回装置２０により９０°旋回させられて、その長手方向が車両１９の入退出方向１６となるように方向転換して待機する。
【００１４】
車両１９の入庫時には、車両１９が自走してパレット１８上へと乗り込んだ後、車両１９及びパレット１８は、パレット旋回装置２０により９０°旋回させられて搬器１３上に載置される。そしてこの後搬器１３は、元の駐車室１７の位置、すなわち、パレット１８を取り出して空になった駐車室１７まで車両１９及びパレット１８を搬送し、この後パレット１８ごと車両１９を横行させて格納する。車両１９の出庫時は、これと逆の動作であり、車両１９が格納された駐車室１７まで空の搬器１３が移動した後、駐車室１７からパレット１８および車両１９を搬器１３上へ横行させる。この後、搬器１３が下降して入出庫階１５に到着すると、車両１９及びパレット１８がパレット旋回装置２０により９０°旋回させられ、運転者が車両１９に乗り込んで車両１９を運転して機械式駐車装置１０から退出する。
【００１５】
図３は、入出庫階１５の平面図である。入出庫階１５の出入り口には、引き戸式の扉２２を備えており、扉２２近傍の外壁には、運転操作盤２１を備えている。運転操作盤２１には、入出庫を選択する釦類やタッチパネル等を備えており、利用者が運転操作盤２１を操作することにより機械式駐車装置１０が作動する。入庫時には、利用者は車両１９を扉２２の前方で車両１９を停車させ、運転操作盤２１を操作すると扉２２が開いて車両１９の進入が可能になる。次いで、利用者が車両１９を運転して入出庫階１５の所定位置に車両１９を停車させた後、利用者が退出して運転操作盤２１を操作すると、扉２２が閉じた後にパレット旋回装置２０および搬器１３が動作して所定の駐車室１７に車両１９が格納される。出庫時は、機械式駐車装置１０の扉２２は閉じられた状態であり、この状態で利用者は車両１９が格納された駐車室１７の指定や装置の運転開始等の操作を運転操作盤２１にて行う。車両１９が駐車室１７から運搬されて入出庫階１５にて出庫可能な状態になると、扉２２が自動的に開いた後、利用者が内部へ入構し車両１９を運転して退出する。その後利用者は、一旦車両１９を停車させ、運転操作盤２１を操作して扉２２を閉じる。
【００１６】
運転操作盤２１には、運転釦、非常停止釦、完了釦、表示部、スピーカー等を備えるとともに、利用者が所持する情報記憶媒体の情報を読み込み及び書き込み可能な情報読み書き装置２３を備えており、また、入出庫階１５の奥側壁面には、情報記憶媒体へ情報を書き込む情報書き込み装置２４を備えている。情報記憶媒体は、情報を電子的に記憶するＩＣカード等であって、利用者によって異なる情報が固定情報として記憶されている。
【００１７】
運転操作盤２１での操作は以下のように行われる。まず、運転開始時に利用者は、所持した情報記憶媒体の情報を運転操作盤２１の情報読み書き装置２３へ読み込ませる。運転操作盤２１内では、読み込んだ情報が正規の利用者であるか等を判定し、正規の利用者である場合には、表示部やスピーカーにより運転釦を押すように利用者へ知らせる。利用者が運転釦を押すと運転が開始され、前述したように空のパレット１８又は車両１９を搭載したパレット１８が入出庫階１５へ搬送された後、所定の動作を行って扉２２が開く。この際に運転操作盤２１の表示部やスピーカーからは、利用者が入出庫階１５から退出する際には入出庫階１５が無人である事を確認し、情報書き込み装置２４により情報を情報記憶媒体へ書き込む操作、例えばＩＣカードを近づけたりタッチする操作をするように指示がなされる。
【００１８】
利用者は、入出庫を行なった後、上記指示に従って入出庫階１５内の無人を確認し、情報書き込み装置２４により情報を情報記憶媒体へ書き込む。情報書き込み装置２４には、扉２２を可能にする扉閉許可情報が記憶されており、情報記憶媒体にはこの扉閉許可情報が書き込まれる。次いで、利用者は入出庫階１５から退出し、運転操作盤２１にて情報記憶媒体の情報を情報読み書き装置２３へ読み込ませる。運転操作盤２１は、読み込んだ情報に扉閉許可情報が含まれるかどうかを判定し、含まれている場合には完了釦が有効になって、これを利用者が押すことによって扉２２が閉じる。また、情報記憶媒体に記憶された扉閉許可情報は、情報読み書き装置２３へ読み込まれた後に消去され、情報記憶媒体は初期の状態に戻る。一方、情報記憶媒体に扉閉許可情報が含まれていなかった場合には、再び無人の確認と情報書き込み装置２４を操作する旨の指示が運転操作盤２１によりなされ、利用者は再び入出庫階１５に入構して上記の操作を行う。
【００１９】
以上のように利用者は、入出庫階１５内で情報書き込み装置２４の操作を行わないと扉２２を閉じることが出来ないので、利用者が実際に入出庫階１５内に入った状態で無人確認を行うようにすることができる。また、情報書き込み装置２４を奥側壁面の両側方に設ければ、車両１９の両側方も視認することができるので、より確実に無人確認を行わせることができる。さらには、利用者が扉２２を閉じる操作を忘れて立ち去った場合であっても、後行の利用者は自分の情報記憶媒体により情報読み書き装置２３の操作を行って運転の終了動作を行った後、さらに自らの情報記憶媒体によって新たに運転を再開することができ、時間を浪費することなく運行上の利便性が向上する。
【符号の説明】
【００２０】
１０  機械式駐車装置
１１  昇降路
１２  昇降リフト
１３  搬器
１４  ワイヤロープ
１５  入出庫階
１６  入退出方向
１７  駐車室
１８  パレット
１９  車両
２０  パレット旋回装置
２１  運転操作盤
２２  扉
２３  情報読み書き装置
２４  情報書き込み装置
【図１】
2019100089.tif 000003
【図２】
2019100089.tif 000004
【図３】
2019100089.tif 000005